(57)【要約】【課題】水流が当てられることに起因するカバーの外れを防止する。【解決手段】コネクタアッセンブリ１００は、ハウジング２の導出部２２から延びているケーブル４を、その導出方向とは異なる方向に湾曲させるためにコネクタ１に取り付けられるカバー３を有してよい。カバー３は、ハウジング２の導出部２２を覆うフード部３２と、フード部３２に形成され湾曲されたケーブル４を挿通するスリット３３とを有してよい。ハウジング２は、カバー３のフード部３２の外側に配置されて、フード部３２の少なくとも一部分を覆う外殻部２４を有してよい。【選択図】  図１
2018156793.tif 000002
【特許請求の範囲】
【請求項１】
ケーブルの先端に取り付けられた端子と、
前記端子を収容する通孔と相手側コネクタの端子が挿通する開口を含む端子収容部及び前記ケーブルが挿通される通孔と前記ケーブルを導出する開口を含む導出部を有するハウジングと、を有するコネクタと、
前記導出部からケーブルの導出方向である第１方向に沿って延びている前記ケーブルを前記第１方向とは異なる方向に湾曲させるために前記コネクタに取り付けられるカバーと、を有するコネクタアッセンブリであって、
前記カバーは、前記導出部を覆うフード部と、前記フード部に形成され前記湾曲されたケーブルを挿通するスリットと、を有し、
前記ハウジングは、前記カバーの前記フード部の外側に配置されて前記フード部の少なくとも一部分を覆う外殻部を有する
ことを特徴とするコネクタアッセンブリ。
【請求項２】
前記カバーの前記フード部は、第１板部と、前記スリットを挟んで前記第１板部から離れて位置する第２板部とを有し、
前記ハウジングの前記外殻部は、前記カバーの前記第１板部の少なくとも一部分と前記第２板部の少なくとも一部分とを覆う
ことを特徴とする請求項１に記載のコネクタアッセンブリ。
【請求項３】
前記カバーは、前記第１方向で前記コネクタに取り付けられ、
前記カバーの前記フード部及び前記スリットは、前記第１の方向に沿って延びている
ことを特徴とする請求項１又は２に記載のコネクタアッセンブリ。
【請求項４】
前記ハウジングの前記外殻部は、前記第１方向に対して垂直な方向である第２方向において前記導出部から離れた位置に配置されて前記フード部を覆う部分と、前記第１方向及び前記第２方向に対して垂直な方向である第３方向において前記導出部から離れた位置に配置されて前記フード部を覆う部分と、を有する
ことを特徴とする請求項１から３の何れかに記載のコネクタアッセンブリ。
【請求項５】
前記ハウジングの前記導出部と前記外殻部とは、前記ハウジングから前記カバーを取り外す方向である取り外し方向に沿って延びているリブで繋がれ、
前記リブは、前記カバーの前記スリットを通る位置に配置される
ことを特徴とする請求項１から４の何れかに記載のコネクタアッセンブリ。
【請求項６】
前記フード部は、前記ハウジングに形成された被係合部と係合して前記カバーを前記ハウジングに対して外れないようロックする板バネ部を更に有し、
前記板バネ部は、前記フード部と連結されている連結部と、前記被係合部と係合する係合部とを有し、前記バネ部は前記連結部から前記取り外し方向へ伸びている片持ち梁状に形成されている
ことを特徴とする請求項１から５の何れかに記載のコネクタアッセンブリ。
【請求項７】
前記ハウジングの前記外殻部は、前記フード部のうちの前記板バネ部が形成されている部分を露出する
ことを特徴とする請求項６に記載のコネクタアッセンブリ。
【請求項８】
前記フード部は、前記ハウジングに形成された被係合部と係合して前記カバーを前記ハウジングに対して外れないようロックする板バネ部を更に有し、
前記カバーの前記フード部は、前記板バネ部が設けられて前記取り外し方向に対して垂直な方向に沿って突出している凸部を更に有し、
前記ハウジングの前記外殻部は、前記凸部が嵌る凹部を更に有する
ことを特徴とする請求項１から５の何れかに記載のコネクタアッセンブリ。
【請求項９】
前記カバーの前記フード部は、前記取り外し方向に沿って延びている第２スリットを更に有し、
前記ハウジングは、前記取り外し方向に沿って延びており前記第２スリットに嵌る第２リブを更に有する
ことを特徴とする請求項１から８の何れかに記載のコネクタアッセンブリ。
【請求項１０】
前記ハウジングと嵌合する前記相手側コネクタと、前記導出部から前記第１方向に沿って延びている前記ケーブルと、を更に有し、
前記ケーブルは、前記第１方向とは異なる方向に湾曲されて前記スリットに挿通される
ことを特徴とする請求項１から９の何れかに記載のコネクタアッセンブリ。
【請求項１１】
ケーブルの導出方向である第１方向に沿って延びている前記ケーブルを前記第１方向とは異なる方向に湾曲させるためにコネクタに取り付けられるコネクタカバーであって、
前記コネクタが有するハウジングに形成された被係合部と係合して前記コネクタカバーを前記ハウジングに対して外れないようロックする板バネ部を有し、
前記板バネ部は、前記フード部と連結されている連結部と、前記被係合部と係合する係合部とを有し、前記バネ部は前記連結部から前記コネクタから前記コネクタカバーを取り外す方向である取り外し方向へ伸びている片持ち梁状に形成されている
ことを特徴とするコネクタカバー。
【発明の詳細な説明】
【技術分野】
【０００１】
本開示はコネクタアッセンブリ及びコネクタカバーに関する。
【背景技術】
【０００２】
下記特許文献１には、コネクタ（特許文献１においては、コネクタハウジング１０）に取り付けられるカバー（電線カバー５０）が開示されている。カバーには、係合孔が形成されている。この係合孔の縁に、カバーの内側から突出するコネクタの係合爪が引っ掛かる。これにより、コネクタからカバーが抜けることを防止している。
【先行技術文献】
【特許文献】
【０００３】
【特許文献１】特開２００２−０５４２０６号公報
【発明の概要】
【発明が解決しようとする課題】
【０００４】
特許文献１のカバーがコネクタに嵌っている状態では、コネクタを覆うカバーの外面は、コネクタの外側に曝されている。ここで、コネクタが取り付けられた製品を水などで洗浄すると、水流がカバーの縁や外面に直接当たることとなる。そうすると、カバーが変形してカバーの係合孔がコネクタの係合爪から外れ、カバーがコネクタから外れてしまう可能性がある。
【０００５】
本開示の目的は、水流が当てられる等の外力が作用することに起因するカバーの外れを防止するコネクタアッセンブリ及びコネクタカバーを提供することである。
【課題を解決するための手段】
【０００６】
本開示に係るコネクタアッセンブリは、ケーブルの先端に取り付けられた端子と、前記端子を収容する通孔と相手側コネクタの端子が挿通する開口を含む端子収容部及び前記ケーブルが挿通される通孔と前記ケーブルを導出する開口を含む導出部を有するハウジングと、を有するコネクタと、前記導出部からケーブルの導出方向である第１方向に沿って延びている前記ケーブルを前記第１方向とは異なる方向に湾曲させるために前記コネクタに取り付けられるカバーと、を有してよい。ここで、前記カバーは、前記導出部を覆うフード部と、前記フード部に形成され前記湾曲されたケーブルを挿通するスリットと、を有してよい。さらに、前記ハウジングは、前記カバーの前記フード部の外側に配置されて前記フード部の少なくとも一部分を覆う外殻部を有してよい。このようにすることで、水流が当てられることに起因するカバーの湾曲を防ぎ、コネクタに対するカバーの外れを防止することができる。
【０００７】
また、コネクタアッセンブリの一形態では、前記カバーの前記フード部は、第１板部と、前記スリットを挟んで前記第１板部から離れて位置する第２板部とを有してもよい。ここで、前記ハウジングの前記外殻部は、前記カバーの前記第１板部の少なくとも一部分と前記第２板部の少なくとも一部分とを覆うこととしてもよい。
【０００８】
また、コネクタアッセンブリの一形態では、前記カバーは、前記第１方向で前記コネクタに取り付けられてもよい。ここで、前記カバーの前記フード部及び前記スリットは、前記第１の方向に沿って延びていてもよい。
【０００９】
また、コネクタアッセンブリの一形態では、前記ハウジングの前記外殻部は、前記第１方向に対して垂直な方向である第２方向において前記導出部から離れた位置に配置されて前記フード部を覆う部分と、前記第１方向及び前記第２方向に対して垂直な方向である第３方向において前記導出部から離れた位置に配置されて前記フード部を覆う部分と、を有してもよい。
【００１０】
また、コネクタアッセンブリの一形態では、前記ハウジングの前記導出部と前記外殻部とは、前記ハウジングから前記カバーを取り外す方向である取り外し方向に沿って延びているリブで繋がれもよい。ここで、前記リブは、前記カバーの前記スリットを通る位置に配置されてもよい。
【００１１】
また、コネクタアッセンブリの一形態では、前記フード部は、前記ハウジングに形成された被係合部と係合して前記カバーを前記ハウジングに対して外れないようロックする板バネ部を有してもよい。前記板バネ部は、前記フード部と連結されている連結部と、前記被係合部と係合する係合部とを有してもよい。前記バネ部は、前記連結部から前記取り外し方向へ伸びている片持ち梁状に形成されてもよい。
【００１２】
また、コネクタアッセンブリの一形態では、前記ハウジングの前記外殻部は、前記フード部のうちの前記板バネ部が形成されている部分を露出してもよい。
【００１３】
また、コネクタアッセンブリの一形態では、前記フード部は、前記ハウジングに形成された被係合部と係合して前記カバーを前記ハウジングに対して外れないようロックする板バネ部を有してもよい。ここで、前記カバーの前記フード部は、前記板バネ部が設けられて前記取り外し方向に対して垂直な方向に沿って突出している凸部を有してもよい。さらに、前記ハウジングの前記外殻部は、前記凸部が嵌る凹部を有してもよい。
【００１４】
また、コネクタアッセンブリの一形態では、前記カバーの前記フード部は、前記取り外し方向に沿って延びている第２スリットを有してもよい。ここで、前記ハウジングは、前記取り外し方向に沿って延びており前記第２スリットに嵌る第２リブを有してもよい。
【００１５】
また、コネクタアッセンブリの一形態では、前記コネクタアッセンブリは、前記ハウジングと嵌合する前記相手側コネクタと、前記導出部から前記第１方向に沿って延びている前記ケーブルと、を有してもよい。ここで、前記ケーブルは、前記第１方向とは異なる方向に湾曲されて前記スリットに挿通されてもよい。
【００１６】
また、本開示に係るコネクタカバーは、ケーブルの導出方向である第１方向に沿って延びている前記ケーブルを前記第１方向とは異なる方向に湾曲させるためにコネクタに取り付けられてよい。ここで、前記コネクタカバーは、前記コネクタが有するハウジングに形成された被係合部と係合して前記コネクタカバーを前記ハウジングに対して外れないようロックする板バネ部を有してもよい。さらに、前記板バネ部は、前記フード部と連結されている連結部と、前記被係合部と係合する係合部とを有し、前記バネ部は前記連結部から前記コネクタから前記コネクタカバーを取り外す方向である取り外しへ伸びている片持ち梁状に形成されていてもよい。
【図面の簡単な説明】
【００１７】
【図１】本開示に係るコネクタアッセンブリ１００を示す斜視図である。
【図２】コネクタアッセンブリ１００を示す上面図である。
【図３】コネクタアッセンブリ１００を示す下面図である。
【図４】コネクタアッセンブリ１００の構成部品を示す斜視図である。
【図５】ハウジング２の上側を示す斜視図である。
【図６】ハウジング２の下側を示す斜視図である。
【図７】カバー３の上側を示す斜視図である。
【図８】カバー３の下側を示す斜視図である。
【図９】図２に示すＸＩ―ＸＩ線における断面を示す図である。
【図１０】図１に示すＸ―Ｘ線における断面を示す図である。
【図１１】図２に示すＸＩ―ＸＩ線における断面を示す図である。
【図１２】図２に示すＸＩＩ―ＸＩＩ線における断面を示す図である。
【発明を実施するための形態】
【００１８】
本実施形態では、コネクタ１を相手側コネクタ９へ挿入する方向（各図のＸ１が示す方向）を前方とし、相手側コネクタ９からコネクタ１を抜去する方向（各図のＸ２が示す方向）を後方とする。また、コネクタ１の幅を示す方向のうちの一方（各図のＹ１が示す方向）を左方向とし、他方（各図のＹ２が示す方向）を右方向とする。また、コネクタ１の高さを示す方向のうちの一方（各図のＺ１が示す方向）を上方とし、他方（各図のＺ２が示す方向）を下方とする。なお、各種の方向は、あくまでもコネクタ１を構成する部位の相対的な位置関係を説明するためのものであり、絶対的な方向を示すものではない。
【００１９】
図１及び図４に示すように、本実施形態に係るコネクタアッセンブリ１００は、コネクタ１と、カバー３と、とを有している。図４及び図１１に示すように、コネクタ１は、ハウジング２、端子４１、ゴムブッシュ５、シール６、及びリテーナ７を有してよい。本実施形態では、ケーブル４に取り付けられたゴムブッシュ５と端子４１が、ハウジング２に収容される。そして、ハウジング２にリテーナ７が取り付けられることで、端子４１がハウジング２から抜けることが防止される。また、ハウジング２には相手側コネクタ９が嵌合されたときの防水を図るシール６が取り付けられる。シール６は、リテーナ７が取り付けられることでハウジング２に固定される。ただし、コネクタアッセンブリ１００及びコネクタ１の構成部品は、必ずしもこれに限定されない。
【００２０】
図１及び図４に示すように、コネクタアッセンブリ１００は、相手側コネクタ９と嵌合することとしてよい。各図に示した相手側コネクタ９は、コネクタアッセンブリ１００に嵌合されるコネクタの一例であり、相手側コネクタ９の形態としては、ケーブルが接続される場合、基板に取り付けられる場合あるいは制御機器に取り付けられる等、種々の形態が考えられる。
【００２１】
図１に示すように、コネクタ１には、カバー３及び相手側コネクタ９が取り付けられてよい。ここで、カバー３と相手側コネクタ９とは、コネクタ１を構成するハウジング２に取り付けられてよい。本実施形態では、相手側コネクタ９は、コネクタ１のカバー３が取り付けられる側とは反対側でコネクタ１と嵌合しているが、カバー３と相手側コネクタ９との相対的な位置関係は、必ずしもこれに限定されない。図１及び図４に示す例では、コネクタ１には２本のケーブル４が収容されているが、コネクタ１に収容されるケーブル４の数は、１本であってもよいし、３本以上の複数であってもよい。
【００２２】
図４に示すように、コネクタ１に収容されるケーブル４の先端には、金属などの導体から成る端子４１が取り付けられてよい。端子４１は、ケーブル４に含まれる銅線などの導体と接触することで、ケーブル４と電気的に接続してよい。また、相手側コネクタ９は、端子９１を有することとしてよい。図１１に示すように、ケーブル４がコネクタ１に収容され、且つ相手側コネクタ９がコネクタ１に嵌合している状態で、端子４１は端子９１に接続してよい。なお、本実施形態では、端子４１は略筒状の雌型に形成されており、端子９１は略針状の雄型に形成されているが、逆に、端子４１が雌型に形成され、端子９１が雌型に形成されてもよい。別の言い方をすると、本実施形態では、コネクタ１を雌コネクタであるリセプタクルコネクタとし、相手側コネクタ９を雄コネクタであるプラグコネクタとしているが、これに限らず、コネクタ１をプラグコネクタとし、相手側コネクタ９をリセプタクルコネクタとしてもよい。
【００２３】
図１１に示すように、コネクタ１を構成するハウジング２は、前方側にケーブル４の先端に取り付けられた端子４１を収容する端子収容部２１と、後方側にこの端子収容部２１に繋がって、ケーブル４を挿通する導出部２２とを有してよい。端子４１が端子収容部２１に収容されている状態で、ケーブル４は、導出部２２から導出されることとしてよい。本実施形態では、ケーブル４は、導出部２２の後方へ向かって導出されているが、ケーブル４が導出される方向はこれに限らない。また、本実施形態では、端子収容部２１及び導出部２２は、前後方向に沿って延びているが、端子収容部２１及び導出部２２の延伸方向もこれに限らない。
【００２４】
図５及び図１１に示すように、端子収容部２１は、前後方向に沿って延びるスペースである通孔２１１と、この通孔２１１の前端に位置している開口２１２を有してよい。また、導出部２２は、前後方向に沿って延びるスペースである通孔２２１と、この通孔２２１の後端に位置している開口２２２とを有してよい。ここで、端子収容部２１の通孔２１１は、導出部２２の通孔２２１と連通してよく、ケーブル４の先端に取り付けられた端子４１は、導出部２２の開口２２２から通孔２２１に挿通されて、端子収容部２１の通孔２１１に装着されてよい。そして、相手側コネクタ９の端子９１は、端子収容部２１の開口２１２から通孔２１１に挿通されて、通孔２１１に装着された端子４１と嵌合してよい。即ち、端子収容部２１は、相手側コネクタ９と嵌合する嵌合部となっていてよい。
【００２５】
また、ケーブル４は、導出部２２の通孔２２１に挿通されて、導出部２２の開口２２２から後方へ導出されてよい。図５及び図１１に示す例では、導出部２２の通孔２２１及び開口２２２は、２列に並んでいる。これに限らず、導出部２２の通孔２２１及び開口２２２は、１列でもよいし３列以上あってもよく、導出部２２に挿通されるケーブル４の数は、通孔２２１及び開口２２２の列の数以下であればよい。なお、本実施形態では、導出部２２に形成されている通孔２２１及び開口２２２の形状は、略円筒形とされているが、通孔２２１及び開口２２２の形状はこれに限らない。例えば、通孔２２１及び開口２２２は、略角筒状に形成されてもよい。
【００２６】
また、図５に示すように、ハウジング２は、略筒形状に形成されてよく、前後方向に沿って延びている外殻部２４を有してよい。本実施形態では、外殻部２４は、導出部２２の左側を覆う左側の外殻部２４Ｌと、導出部２２の右側を覆う右側の外殻部２４Ｒとを含んでいる。ただし、外殻部２４の形状は、必ずしもこれに限られない。外殻部２４は、導出部２２の上側を覆う部分を含んでいてもよい。外殻部２４の詳細については後述する。
【００２７】
図４に示すように、ゴムブッシュ５は、略筒状に形成されてよい。図１１に示すように、ゴムブッシュ５は、ハウジング２に形成されている導出部２２の通孔２２１とケーブル４との間の隙間を塞ぐこととしてよい。このようにすることで、導出部２２の通孔２２１、及びこれに連通している端子収容部２１の通孔２１１に水が浸入することを防止できる。なお、ゴムブッシュ５の形状は、図４に示す例に限らない。例えば、ゴムブッシュ５は、ケーブル４と、導出部２２の通孔２２１の形状に合わせて形成されてもよい。
【００２８】
図４に示すように、シール６は、環状に形成されてよい。図１１に示すように、シール６は、ハウジング２に形成されている端子収容部２１と、相手側コネクタ９との間の隙間を塞ぐこととしてよい。このようにすることで、相手側コネクタ９の内側に水が浸入することを防止できる。
【００２９】
図４に示すように、リテーナ７は、前後方向に沿って延びている爪部７１を有してよい。図１１に示すように、リテーナ７の爪部７１は、端子収容部２１の内側に収容されてよい。爪部７１は、端子収容部２１内に形成されている可動係合部２１３を押し下げることで、可動係合部２１３の位置を固定してよい。このようにすることで、端子４１と係合する位置に可動係合部２１３を固定し、端子４１の抜けを防止することができる。
【００３０】
図１及び図４に示すように、本実施形態では、導出部２２から導出されたケーブル４の方向を変えるためのカバー３は、前後方向でコネクタ１に取り付けられる。別の言い方をすると、本実施形態では、カバー３は、ハウジング２の導出部２２から導出されるケーブル４の方向（本実施形態では、前後方向）に沿って取り付けられる。カバー３は、前後方向に限らず、上下方向又は左右方向でコネクタ１に取り付けられてもよいし、斜め方向でコネクタ１に取り付けられてよい。
【００３１】
図７に示すように、カバー３は、壁部３１と、壁部３１から延びているフード部３２とを有してよい。本実施形態では、フード部３２は、略筒状に形成されており、前後方向沿って延びている。そして、壁部３１は、略板状に形成されており、略筒状に形成されているフード部３２の後端側を塞ぐ位置に配置されている。ただし、壁部３１及びフード部３２の形状は、必ずしもこれに限定されない。例えば、フード部３２は、上下方向に互いに離れて位置する２枚の板から構成されてもよい。また、壁部３１は、前後方向に沿って延びているフード部３２の前端と後端との中間位置に配置されてもよい。
【００３２】
図７に示すように、フード部３２は、スリット３３と、引出口３４とを有してよい。スリット３３は、カバー３がコネクタ１に取り付けられる方向である取り付け方向（本実施形態では、前方）に向かって延びてよい。本実施形態では、スリット３３は、ハウジング２の導出部２２からケーブル４が導出される方向に沿って延びている。また、スリット３３は、引出口３４からカバー３の前端に亘って形成されてよい。引出口３４は、ケーブル４を引き出すための孔であり、スリット３３よりも幅広に形成されてよい。図５に示すように、引出口３４は、略円形に形成されてもよく、スリット３３の幅よりも広い直径を有することとしてよい。
【００３３】
図７及び図８に示すように、本実施形態では、フード部３２の左側には、左側のスリット３３Ｌと、これに連通している引出口３４Ｌとが形成されており、フード部３２の右側には、右側のスリット３３Ｒと、これに連通している引出口３４Ｒとが形成されている。これに限らず、スリット３３及び引出口３４は、フード部３２の左側と右側とのうちのいずれか一方にのみ形成されてもよい。本実施形態のように、カバー３のフード部３２がスリット３３により上下に分断されることで、フード部３２は、スリット３３の上側に位置する上板部３２１と、スリット３３を挟んで上板部３２１から離れて位置する下板部３２２とを有することとなる。なお、本実施形態では、下板部３２２は、前後方向において上板部３２１よりも長く形成されているが、下板部３２２は、上板部３２１よりも短く形成されてもよいし、上板部３２１と同じ長さを有することとしてもよい。
【００３４】
図９及び図１０に示すように、カバー３がコネクタ１に取り付けられている状態で、フード部３２は、ハウジング２に形成されている導出部２２を覆うこととしてよい。また、図１０に示すように、カバー３がコネクタ１に取り付けられている状態で、壁部３１は、ハウジング２の導出部２２から後方に離れて位置してもよい。ここで、ケーブル４は、壁部３１により遮られることで、左方向又は右方向に曲げられてもよい。即ち、カバー３は、ケーブル４がハウジング２の導出部２２から導出される方向（本実施形態では、後方）とは異なる方向に、ケーブル４を湾曲させてよい。
【００３５】
図１０に示すように、カバー３の壁部３１あるいは引出口３４の縁に当たることで湾曲されたケーブル４は、引出口３４から引き出されてもよい。図１０に示す例では、コネクタ１に収容される複数のケーブル４は、何れも右側の引出口３４Ｒから引き出されているが、これに限らず、複数のケーブル４の全てが左側の引出口３４Ｌから引き出されてもよい。この他にも、複数のケーブル４のうちの一部が右側の引出口３４Ｒから引き出されて、残りが左側の引出口３４Ｌから引き出されることとしてもよい。
【００３６】
図７に示すように、カバー３においてケーブル４が引き出される引出口３４の縁には、カバー３の外側に突出している補強壁部３４１が形成されてもよい。補強壁部３４１は、スリット３３の少なくとも一部分に及んでいてもよい。このように補強壁部３４１を形成することで、ケーブル４が引き出される引出口３４の周囲でカバー３の強度を確保し、カバー３の破損を防止することができる。また、引出口３４の縁が薄いエッジとならないことで、ケーブル４の破損も防止できる。
【００３７】
また、カバー３をコネクタ１に取り付ける際、カバー３により湾曲されたケーブル４は、フード部３２のスリット３３に挿通された後に引出口３４に到達することとしてよい。別の言い方をすると、ケーブル４は、上板部３２１と下板部３２２の間の隙間に挿通されてよい。これにより、作業者は、ケーブル４を左右方向に湾曲させた状態で、コネクタ１にカバー３を取り付けることができるようになる。
【００３８】
上述したように、カバー３のフード部３２にスリット３３を形成することで、作業者は、ケーブル４を湾曲させた状態で、カバー３を取り付けることができる。しかし、スリット３３によってフード部３２が上板部３２１と下板部３２２との上下に分断されるため、フード部３２は、上下方向に開きやすくなってしまう。例えば、カバー３に水流が当たることで、図７に示した上板部３２１と下板部３２２が互いに離れる方向に変形し、コネクタ１からカバー３が外れてしまう可能性がある。
【００３９】
そこで、図９に示すように、カバー３のフード部３２がハウジング２の導出部２２を覆っている状態で、ハウジング２の外殻部２４は、フード部３２の少なくとも一部分を覆うこととしてよい。外殻部２４は、特にフード部３２に含まれる上板部３２１の少なくとも一部分と、下板部３２２の少なくとも一部分とを覆うこととしてよい。より具体的には、左右の外殻部２４Ｌ，２４Ｒは、上板部３２１の上面３２１１と対向し、フード部３２の上側を覆う内面２４１と、下板部３２２の下面３２２１と対向し、フード部３２の下側を覆う内面２４２とを有してよい。上側の内面２４１は、ハウジング２の導出部２２から上方に離れた位置に配置されてよく、下側の内面２４２は、導出部２２から下方に離れた位置に配置されてよい。このように、外殻部２４がフード部３２の上側と下側とを支持するようにすることで、フード部３２の上板部３２１と下板部３２２が互いに離れる方向に変形することを防ぐことができ、カバー３の外れを防止することができるようになる。
【００４０】
なお、図９に示す例では、外殻部２４において、フード部３２の上面３２１１を覆う上側の内面２４１は、外殻部２４の左側と右側とに１つずつ設けられているが、外殻部２４の形状はこれに限らない。例えば、外殻部２４は、フード部３２の上面３２１１全域を覆うこととしてもよいし、３以上の複数の位置で上面３２１１を覆うこととしてもよい。これと同様に、外殻部２４は、１つの面で下板部３２２の下面３２２１全域を覆うこととしてもよいし、３以上の複数の位置で下面３２２１を覆うこととしてもよい。
【００４１】
また、左右の外殻部２４Ｌ，２４Ｒは、フード部３２の上板部３２１の側面３２１２と左右方向で対向する内面２４３と、下板部３２２の側面３２２２と左右方向で対向する内面２４４とを有してよい。内面２４３，２４４は、ハウジング２の導出部２２から左方向又は右方向に離れた位置に配置されてよい。このように、外殻部２４がカバー３のフード部３２の右側と左側とを覆うことで、フード部３２に水流が直接当たることを抑えることができる。また、外殻部２４において、上側の内面２４１は左側又は右側の内面２４３に接続してよく、下側の内面２４２は左側の又は右側の内面２４４に接続してよい。これにより、外殻部２４の強度を向上することができ、外殻部２４の変形を防止することができる。即ち、カバー３のフード部３２の変形をより確実に防止することができるようになる。
【００４２】
図５に示すように、ハウジング２は、カバー３の取り付け方向（本実施形態では、前方）、及び取り外し方向（本実施形態では、後方）に沿って延びているリブ２５として、左側のリブ２５Ｌと、右側のリブ２５Ｒとを有してよい。左側のリブ２５Ｌは、導出部２２の左側に位置してよく、右側のリブ２５Ｒは、導出部２２の右側に位置してよい。ここで、ハウジング２の導出部２２と左側の外殻部２４Ｌとは、左側のリブ２５Ｌで繋がれてよい。また、導出部２２と右側の外殻部２４Ｒとは、右側のリブ２５Ｌで繋がれてもよい。このように外殻部２４と導出部２２とを繋ぐことにより、外殻部２４の強度を確保することができる。これにより、より確実にカバー３のフード部３２の変形を抑えることができ、コネクタ１に取り付けられたカバー３の外れを防止することができる。
【００４３】
図９に示すように、左側のリブ２５Ｌは、カバー３のフード部３２に形成されている左側のスリット３３Ｌを通る位置に配置されてよく、右側のリブ２５Ｒは、カバー３の右側のスリット３３Ｒを通る位置に配置されてよい。別の言い方をすると、左右のリブ２５Ｌ，２５Ｒは、フード部３２に含まれる上板部３２１と下板部３２２との間に配置されてよい。このようにすることで、作業者がカバー３の取り付ける際、上下方向におけるカバー３の位置を規定することができる。図９に示す例では、左右のリブ２５Ｌ，２５Ｒは、上面で上板部３２１の下端と接しているが、左右のリブ２５Ｌ，２５Ｒは、上板部３２１から離れた位置に配置されてもよい。また、左右のリブ２５Ｌ，２５Ｒは、下板部３２２から離れているが、左右のリブ２５Ｌ，２５Ｒは、下板部３２２の上端と接していてもよい。左右のリブ２５Ｌ，２５Ｒが、上板部３２１と下板部３２２とのうちの少なくとも一方と接することで、コネクタ１に取り付けられたカバー３が上下方向に動くことを抑えることができる。
【００４４】
図７に示すように、カバー３は、左右のスリット３３Ｌ，３３Ｒとは異なる位置に配置されている第２スリット３５を有してもよい。第２スリット３５は、左右のスリット３３Ｌ，３３Ｒと同様に、カバー３がコネクタ１に取り付けられる方向（本実施形態では、前後方向）に沿って延びてよい。第２スリット３５は、左右のスリット３３Ｌ，３３Ｒの幅方向（本実施形態では、上下方向）とは異なる方向（本実施形態では、左右方向）の幅を有してよい。本実施形態では、第２スリット３５は、フード部３２の上側の上板部３２１に形成されている。これに限らず、第２スリット３５は、フード部３２の下側の下板部３２２に形成されてもよい。
【００４５】
また、図５に示すように、ハウジング２は、左右のリブ２５Ｌ，２５Ｒとは異なる位置に配置されている第２リブ２６を有してもよい。第２リブ２６は、カバー３がコネクタ１に取り付けられる方向（本実施形態では、前後方向）に沿って延びてよい。第２リブ２６は、ハウジング２の内側に配置される導出部２２の上面から突出する形状を有してよい。
【００４６】
ここで、図９に示すように、ハウジング２に形成されている第２リブ２６は、カバー３に形成されている第２スリット３５に嵌ることとしてよい。このようにすることで、作業者がカバー３を取り付ける際、左右方向におけるカバー３の位置を規定することができる。また、第２リブ２６が第２スリット３５の幅と略同一の幅を有することで、コネクタ１に取り付けられたカバー３が左右方向に動くことを抑えることができる。なお、カバー３に形成される第２スリット３５は、カバー３の下側の下板部３２２に形成されてもよい。この場合、ハウジング２に形成される第２リブ２６は、導出部２２の下側に配置されて、第２スリット３５に嵌ることとしてもよい。
【００４７】
図３及び図８に示すように、カバー３のフード部３２は、板バネ部３６を有することとしてもよい。本実施形態では、板バネ部３６は、フード部３２の下側の下板部３２２に形成された孔３２２４の内側に設けられている。これに限らず、板バネ部３６は、フード部３２の上側の上板部３２１に形成されてもよい。板バネ部３６は、連結部３６１を介してカバー３のフード部３２（特に、下板部３２２）と連結されてよく、連結部３６１を除く他の部分が孔３２２４の内側に配置されてよい。これにより、板バネ部３６は、連結部３６１を支点として上下方向に撓むことができる。
【００４８】
図１２に示すように、カバー３の板バネ部３６は、ハウジング２に係合することで、カバー３をハウジング２に対して外れないようにロックしてよい。より具体的には、ハウジング２は、被係合部２７を有し、板バネ部３６は、被係合部２７と係合する係合部３６２を有してよい。ここで、被係合部２７及び係合部３６２は、互いに対向する壁面ａ１，ａ２をそれぞれ有してよい。また、ハウジング２の被係合部２７には、カバー３を取り付ける取り付け方向（本実施形態では、前方）へ向かい、且つ、ハウジング２の外側の方向（本実施形態では、下方）へ向かう斜めの方向に延びている傾斜面ｂ１が形成されてもよく、カバー３の係合部３６２には、傾斜面ｂ１と略同じ方向に沿って延びている傾斜面ｂ２が形成されてもよい。このように傾斜面ｂ１，ｂ２を形成することで、作業者がカバー３を取り付ける際、係合部３６２が被係合部２７を乗り越えることができ、作業者は、係合部３６２を被係合部２７に係合する正規の位置（図１２を参照）に動かすことができる。
【００４９】
図３に示すように、カバー３がハウジング２に取り付けられている状態で、ハウジングの外殻部２４は、カバー３のフード部３２のうちの板バネ部３６が形成されている部分を露出することとしてよい。このようにすることで、作業者は、治具などを用いて板バネ部３６を撓ませてハウジング２の被係合部２７に対する係合部３６２の係合を解除し、カバー３をハウジング２から取り外すことができる。
【００５０】
図８に示すように、板バネ部３６は、カバー３と連結している連結部３６１から、カバー３の取り外し方向（本実施形態では、後方）へ延びている片持ち梁状に形成されてよい。なお、板バネ部３６は、連結部３６１の幅よりも先端の幅が細くなっているテーパ形状に形成されてもよい。このように板バネ部３６がカバー３の取り外し方向へ向かって延びることで、例えばカバー３が外れる方向に流れる水流が板バネ部３６に当たった場合に、ハウジング２に向かって係合部３６２が押されるため、係合部３６２の壁面ａ２がハウジング２の壁面ａ１に当接するよう作用し、係合部３６２がハウジング２の被係合部２７から外れにくくなる。即ち、カバー３の取り外し方向に水流がカバー３に当たった場合に、ハウジング２からカバー３が外れてしまうことを防止することができる。また、カバー３をハウジング２に押し付ける方向に流れる水流が板バネ部３６に当たった場合、水流は係合部３６２の縁から進入して係合部３６２を押し上げようとする。即ち、水流は、係合部３６２の壁面ａ２がハウジング２の壁面ａ１から離れるように作用し、係合部３６２は、ハウジング２の被係合部２７から離れる可能性がある。しかし、この場合は水流がカバー３をその取り付け方向（本実施形態では、前方）であるハウジング２側へ押すため、ハウジング２からカバー３が外れることはない。
【００５１】
図８に示すように、本実施形態では、カバー３は、カバー３を取り付け方向、及び取り外し方向に対して垂直な方向（本実施形態では、上下方向）に沿って、下板部３２２の下面３２２１から突出している凸部３２２３を有している。そして、板バネ部３６は、凸部３２２３の突出方向に沿って形成された孔３２２４の内側に配置されている。また、本実施形態では、図３及び図６に示すように、ハウジング２の外殻部２４は、カバー３の凸部３２２３が嵌る凹部２４６を有している。本実施形態では、凹部２４６は、外殻部２４の後端に配置される切り欠きとして構成されている。より具体的には、ハウジング２には、左右の外殻部２４Ｌ，２４Ｒを繋ぐ底部２４５が形成されており、凹部２４６は、底部２４５の後端と、左右の外殻部２４Ｌ，２４Ｒの側端とにより構成されている。カバー３の凸部３２２３がハウジング２の凹部２４６に嵌ることで、作業者は、カバー３が正しい位置に取り付けられたことを確認することができる。ただし、カバー３は、必ずしも凸部３２２３を有さなくてよい。この場合、ハウジング２の外殻部２４は、凹部２４６を有さなくてもよい。なお、カバー３の凸部３２２３は、ハウジング２の底部２４５と略同一平面上に配置されてよい。ここで、カバー３の凸部３２２３の前端が、ハウジング２の底部２４５の後端に当たるようにすることで、カバー３がハウジング２に対して過度に挿入されることを防止できる。また、凹部２４６は、下板部３２２の凸部３２２３の下面全体を覆う凹みとして形成されてもよい。
【００５２】
また、本実施形態では、カバー３の下板部３２２は、側面３２２２から後方に離れた位置で下方に突出する第２凸部３７を有しており、第２凸部３７は、ハウジング２の左右の外殻部２４Ｌ，２４Ｒの前端に当たる。このようにすることでも、カバー３がハウジング２に対して過度に挿入されることを防止できる。ただし、下板部３２２は、必ずしも第２凸部３７を有さなくてよい。
【００５３】
図２に示すように、本実施形態では、ハウジング２は、レバー２８を有している。本実施形態では、レバー２８は、左右の外殻部２４Ｌ，２４Ｒの間に配置されている。また、本実施形態では、レバー２８は、ハウジング２の上側に配置されている。ただし、ハウジング２は、必ずしもレバー２８を有さなくてよい。また、レバー２８の配置位置はこれに限らない。例えば、レバー２８は、ハウジング２の下側に配置されてもよい。
【００５４】
図１１に示すように、レバー２８は、前後方向に沿って延びてよく、その延伸方向の中間で端子収容部２１と繋がっている支持部２８１を有してよい。この場合、レバー２８は、支持部２８１を支点として、上下方向に弾性変形することができる。また、レバー２８は、相手側コネクタ９の被係合部９２（図４を参照）と係合することで相手側コネクタ９をロックする係合部２８２と、作業者の操作に供される操作部２８３とを有してもよい。係合部２８２は、支持部２８１の前方に配置されてよく、操作部は、支持部２８１の後方に配置されてよい。作業者は、操作部２８３を押し下げることで係合部２８２を動かして、相手側コネクタ９に対するロックを解除することができる。
【００５５】
また本実施形態では、図５に示すように、ハウジング２は、レバー２８の周囲を囲うガード壁部２９を有している。ガード壁部２９は、レバー２８の操作部２８３が配置される箇所を除いて、レバー２８の左側と右側とを覆っている。このようにすることで、レバー２８の操作部２８３を除く他の部分に対する誤操作を防止することができる。ただし、ハウジング２は、必ずしもガード壁部２９を有さなくてよい。
【００５６】
以上のように、本開示に係るコネクタアッセンブリ１００は、ハウジング２の導出部２２から導出されたケーブル４を、その導出された方向に対して異なる方向に湾曲させるカバー３を有してよい。ここで、カバー３のフード部３２には、ケーブル４が挿通されるスリット３３を有してよい。さらに、ハウジング２の外殻部２４は、カバー３のフード部３２の外側に配置されて、フード部３２の少なくとも一部分を覆うこととしてよい。このようにすることで、水流が当てられる等の外力が作用したことに起因するカバー３の外れを防止することができる。
【００５７】
また、カバー３の板バネ部３６は、ハウジング２に形成された被係合部２７と係合してカバー３をハウジング２に対して外れないようロックしてよい。ここで、板バネ部３６は、連結部３６１からカバー３を取り外す方向（本実施形態では、後方）へ伸びている片持ち梁状に形成されてよい。このようにすることで、水流等の外力がカバー３に当たった場合に、ハウジング２からカバー３が外れてしまうことを防止することができる。
【００５８】
なお、本明細書の開示は一例にすぎず、本開示の主旨を保った適宜変更であって当業者が容易に想到し得るものは本開示の範囲に含まれる。また、図面で示す各部の幅、厚さ及び形状等は模式的に表されており、本開示の解釈を限定するものではない。
【符号の説明】
【００５９】
１  コネクタ、２  ハウジング、２１  端子収容部、２２  導出部、２１１，２２１  通孔、２１２，２２２  開口、２１３  可動係合部、２４，２４Ｌ，２４Ｒ  外殻部、２４１，２４２，２４３，２４４  内面、２４５  底部、２４６  凹部、２５，２５Ｌ，２５Ｒ  リブ、２６  第２リブ、２７  被係合部、２８  レバー、２８１  支持部、２８２  係合部、２８３  操作部、２９  ガード壁部、３  カバー、３１  壁部、３２  フード部、３２１  上板部、３２１１  上面、３２１２  側面、３２２  下板部、３２２１  下面、３２２２  側面、３２２３  凸部、３２２４  孔、３３，３３Ｌ，３３Ｒ  スリット、３４，３４Ｌ，３４Ｒ  引出口、３４１  補強壁部、３５  第２スリット、３６  板バネ部、３６１  連結部、３６２  係合部、３７  第２凸部、４  ケーブル、４１  端子、５  ゴムブッシュ、６  シール、７  リテーナ、７１  爪部、９  相手側コネクタ、９１  端子、９２  被係合部、ａ１，ａ２  壁面、ｂ１，ｂ２  傾斜面、１００  コネクタアッセンブリ。
【図１】
2018156793.tif 000003
【図２】
2018156793.tif 000004
【図３】
2018156793.tif 000005
【図４】
2018156793.tif 000006
【図５】
2018156793.tif 000007
【図６】
2018156793.tif 000008
【図７】
2018156793.tif 000009
【図８】
2018156793.tif 000010
【図９】
2018156793.tif 000011
【図１０】
2018156793.tif 000012
【図１１】
2018156793.tif 000013
【図１２】
2018156793.tif 000014